(57)【特許請求の範囲】
【請求項１】
ディスクカートリッジに収納されたディスクに磁界を付与する磁気ヘッドを、磁界を付与する磁界付与位置において上記ディスクのラジアル方向に移動自在に支持すると共に、上記磁界付与位置と上記ディスクカートリッジを着脱可能にする退避位置との間で回動自在に支持する磁気ヘッド支持部材を備えた磁気ヘッド支持機構において、
上記磁気ヘッド支持部材に、該磁気ヘッド支持部材が上記磁気ヘッドを磁界付与位置に支持した状態で、上記ディスクカートリッジを保持するカートリッジホルダに摺動自在に当接する半球状の当接部が設けられていることを特徴とする磁気ヘッド支持機構。
【請求項２】
上記当接部に、上記カートリッジホルダに対して滑る表面コートが施されていることを特徴とする請求項１に記載の磁気ヘッド支持機構。
【請求項３】
上記カートリッジホルダの上記当接部と接する領域に、上記当接部に対して滑る表面コートが施されていることを特徴とする請求項１又は２に記載の磁気ヘッド支持機構。
【請求項４】
上記当接部が、上記磁気ヘッド支持部材と一体成形により形成されていることを特徴とする請求項１ないし３のいずれか一項に記載の磁気ヘッド支持機構。
【発明の詳細な説明】
【０００１】
【発明の属する技術分野】
本発明は、光磁気記録媒体等の記録媒体用の磁気ヘッドを支持する磁気ヘッド支持機構に係り、特に部品点数の削減と装置の薄型化及び小型化とを図ることのできる磁気ヘッド支持機構に関するものである。
【０００２】
【従来の技術】
光磁気ディスクは、書き換え可能、リムーバブルという利点を持つ大容量のディスクとして注目されており、光磁気記録再生装置として、近年特に磁気変調方式を用いたＭＤ（ミニディスク）の普及がめざましい。
【０００３】
図４（ａ）は、磁気変調方式を用いた光磁気記録再生装置における蓋閉時の部分断面図であり、図４（ｂ）は上記光磁気記録再生装置における蓋開時の部分断面図である。
【０００４】
光磁気記録再生装置においては図４（ａ）に示すように、ディスクカートリッジ４９に収納された光磁気ディスク４１（以下ディスク４１と称する）を間において、ディスク４１下面にはディスク４１にレーザ光を照射する光ピックアップ４４を配置し、ディスク４１上面には磁気ヘッド４２を配置する。この磁気ヘッド４２は、光ピックアップ４４と略コの字型の磁気ヘッドアーム４５を介して連結され、光ピックアップ４４の動きと連動してレーザスポット位置に合わせてディスク４１の面に沿って移動する。磁気ヘッド４２の磁界発生方向を記録信号に合わせて反転させることにより、ディスク４１上に信号を記録していく。
【０００５】
さらに磁気ヘッド４２は、ディスク４１の面振れ、ディスク４１上のごみ及びこぶ等に追従して移動するために、通常厚さ３０〜１００μｍの薄金属からなるサスペンション４７により、３〜１０ｍＮの予圧がかけられた状態でディスク４１と接触摺動可能に設けられている。またこのサスペンション４７の一端は磁気ヘッド取り付け部４６により固定支持されている。
【０００６】
また蓋開時は、ディスク装填位置において磁気ヘッド４２は、ディスクカートリッジ４９に設けた開口部４９ａからディスクカートリッジ４９内に入り込んでいる（図４（ａ））。このため、ディスクカートリッジ４９を排出する際は、磁気ヘッド４２をディスクカートリッジ４９上面より上に退避させる（図４（ｂ））必要がある。
【０００７】
従来、蓋開時に磁気ヘッドをディスクカートリッジ上面より上に退避させる磁気ヘッド支持機構は、例えば以下のような構成を採用している。
【０００８】
（１）専用のリフトモータ等を設け、磁気ヘッドをディスクカートリッジ上面より上に退避させる。
【０００９】
（２）実開平６−１１１６９号公報に開示された構成では、図５に示すように、ディスクカートリッジ５１を収納する第１の蓋５２と、この第１の蓋５２の上方に配置され磁気ヘッドアーム５０を介して磁気ヘッド５３を移動自在に保持する第２の蓋５４とを備え、第１の蓋５２は記録再生装置本体５５にヒンジ止めし、また、第２の蓋５４は記録再生装置本体５５又は第１の蓋５２にヒンジ止めしている。また、第２の蓋５４には板バネ５６が取り付けられており、板バネ５６の先端が第１の蓋５２の上面に当接することで第２の蓋５４を第１の蓋５２基準に上方へ付勢する。磁気ヘッド５３は磁気ヘッドアーム５０に直接取り付けられており、磁気ヘッドアーム５０は一端を第１の蓋５２に、他端を第２の蓋５４に取り付けられている。磁気ヘッド５３を保持する第２の蓋５４を開状態にすることにより、磁気ヘッド５３を上昇させ退避させる。また、第２の蓋５４の側面にはロック用ピン５７が突設されており、蓋閉時において、ロック用ピン５７は記録再生装置本体５５に揺動可能に取り付けられたロックプレート５８の凹部５８ａに噛合している。
【００１０】
（３）図４（ａ）及び図４（ｂ）に示すように、ディスク４１挿抜時には磁気ヘッドアーム上面部４５ａ及びその上に配置され磁気ヘッド４２を保持する磁気ヘッド取り付け部４６が回転支軸４５ｃを中心として回転し、磁気ヘッド４２をディスクカートリッジ４９上面より退避させるようになっている。また、磁気ヘッド取り付け部４６とディスクカートリッジ４９との間に磁気ヘッド取り付け部４６の回動を規制するための回動規制部材４３を設けている。もしくは磁気ヘッドアーム側面部４５ｂに、回動規制部材４３と同等の機能を有する回動規制部材４８を設けてもよい。
【００１１】
【発明が解決しようとする課題】
しかしながら、これらの構造では次のような問題がある。
【００１２】
上記（１）の構成では、磁気ヘッドの退避動作のためにリフトモータ等のヘッド昇降手段が必要であるが、ヘッド昇降手段は制御が複雑であり、ソレノイド等の電気部品が故障しやすい。また、ヘッド昇降手段を設けるスペースが必要となるため、このことが装置を薄型化する上での障害となり、製造コストを高くすることにもなる。
【００１３】
上記（２）の構成では、リフトモータ等のヘッド昇降手段が不要となり、電気部品数の削減を図ることができる。しかし、磁気ヘッド５３が第２の蓋５４により位置決めされ、その第２の蓋５４は第２の蓋５４に設けられたロック用ピン５７と記録再生装置本体５５に取り付けられたロックプレート５８の凹部５８ａとを用いて位置決めを行っているために、ディスク５９及びディスクカートリッジ５１に対する磁気ヘッド５３の高さ位置がずれやすい。また、装置の薄型化を図るために、磁気ヘッド５３の取り付け部分とディスクカートリッジ５１との間隔を狭めると、磁気ヘッドアーム５０とディスクカートリッジ５１の開口部５１ａとが接触し、ディスク５９を損傷させる虞がある。また、磁気ヘッド５３が磁気ヘッドアーム５０に直接固定されているので、磁気ヘッド５３がディスク５９の面振れに追従して移動できない。
【００１４】
上記（３）の構成では、（２）の構成と同様、リフトモータ等のヘッド昇降手段が不要となり、電気部品数の削減を図ることができる。しかし、磁気ヘッドアーム上面部４５ａの下方向への回動位置を規制するための回動規制部材４３を、磁気ヘッド取り付け部４６とディスクカートリッジ４９の間、もしくは磁気ヘッドアーム側面部４５ｂに設ける必要があり、装置の薄型化や小型化を図る上での障害となっている。また、回動規制部材４３が精度良く取り付けられていないと、磁気ヘッド取り付け部４６の先端にある磁気ヘッド４２のディスク４１に対する高さ位置がずれやすい。
【００１５】
本発明は上記事情に鑑みてなされたものであり、その目的は、磁気ヘッドの位置決めを安定させ、さらに、磁気ヘッドの回動を規制するための部材を不要にすることで、部品点数の削減及び装置の薄型化及び小型化を可能にする磁気ヘッド支持機構を提供することである。
【００１６】
【課題を解決するための手段】
本発明の磁気ヘッド支持機構は、上記の課題を解決するために、ディスクカートリッジに収納されたディスクに磁界を付与する磁気ヘッドを、磁界を付与する磁界付与位置において上記ディスクのラジアル方向に移動自在に支持すると共に、上記磁界付与位置と上記ディスクカートリッジを着脱可能にする退避位置との間で回動自在に支持する磁気ヘッド支持部材を備えた磁気ヘッド支持機構において、上記磁気ヘッド支持部材に、該磁気ヘッド支持部材が上記磁気ヘッドを磁界付与位置に支持した状態で、上記ディスクカートリッジを保持するカートリッジホルダに摺動自在に当接する半球状の当接部が設けられていることを特徴としている。
【００１７】
上記の構成によれば、当接部が磁気ヘッド支持部材が磁気ヘッドを磁界付与位置に支持した状態でカートリッジホルダに当接することにより、磁気ヘッドのディスクに対する高さ方向の位置決めを、カートリッジホルダの当接面を基準として行うことができるとともに、磁気ヘッドのディスク側への回動を規制することができる。
【００１９】
また、当接部がカートリッジホルダに対し摺動自在に形成されているので、磁気ヘッドの移動をスムーズに行うことができる。しかも、当接部が半球状であるので、磁気ヘッド支持部材が取り付けられたアーム部材等とカートリッジホルダの取り付け角度を厳密に合わせなくても接触状態が変わらず、摺動状態を安定にすることができる。
【００２０】
当接部がカートリッジホルダに対し摺動自在に当接するには、例えば当接部に、カートリッジホルダに対して滑る表面コートが施されていることが好ましい。この構成によれば、当接部に、カートリッジホルダに対して滑る表面コートが施されていることにより、当接部のカートリッジホルダに対する摺動性を高めることができる。
【００２１】
あるいはカートリッジホルダの当接部と接する領域に、当接部に対して滑る表面コートが施されていることが好ましい。この構成によれば、カートリッジホルダの当接部と接する領域に、当接部に対して滑る表面コートが施されていることにより、磁気ヘッドのカートリッジホルダに対する摺動性が向上するので、磁気ヘッドの移動をスムーズに行うことができる。
【００２２】
前記記載の発明における磁気ヘッド支持機構は、当接部が磁気ヘッド支持部材と一体成形により形成されていることが好ましい。
【００２３】
上記の構成によれば、当接部と磁気ヘッド取り付け部とが一体成形で形成されていることにより、当接部と磁気ヘッド取り付け部とをつなぐ部品（例えば、接着材料）が不要となる。
【００２４】
【発明の実施の形態】
本発明の実施の一形態について図１ないし図３に基づいて説明すれば、以下の通りである。
【００２５】
図１は、本発明の実施の一形態である磁気ヘッド支持機構の要部部分断面図であり、図２は本発明の磁気ヘッド支持機構の上面図である。磁気ヘッド支持機構は、キャビネット１１に固定される磁気ヘッドアーム５と、この磁気ヘッドアーム５に取り付けられる磁気ヘッド支持部材６と、磁気ヘッド２を付勢するサスペンション７とを備えている。
【００２６】
キャビネット１１は、磁気ヘッド支持機構全体及び図示しない回路基板等を覆うように設けられており、上部キャビネット１１ａは回転支軸１１ｃにより下部キャビネット１１ｂに対して回動可能に構成されている。上部キャビネット１１ａと下部キャビネット１１ｂは、ディスクカートリッジ９挿入方向手前側において図示しないロック機構を有しており、上部キャビネット１１ａを閉じることによりロック機構が働き、図示しないロック解除レバーを操作することによりロック機構が解除され、上部キャビネット１１ａと下部キャビネット１１ｂとの間に設けられた図示しないバネのバネ力により上部キャビネット１１ａは回動する。
【００２７】
磁気ヘッドアーム５は、磁気ヘッドアーム上面部５ａが回転支軸５ｂにより磁気ヘッドアーム側面部５ｃに対して回動可能に構成されている。キャビネット１１の回転支軸１１ｃと磁気ヘッドアーム５の回転支軸５ｂとは連動して回動する。このため、上部キャビネット１１ａが回転支軸１１ｃを中心として所定角度以上に回転すると、回転支軸５ｂを中心として磁気ヘッドアーム上面部５ａが回転し始める。また、磁気ヘッドアーム下面部５ｄの端部には、光ピックアップ４（一部のみ図示）が取り付けられている。
【００２８】
磁気ヘッド支持部材６は、磁気ヘッドアーム上面部５ａの上面に回動可能に取り付けられており、磁気ヘッドアーム上面部５ａと共に回転する。また、磁気ヘッド支持部材６は磁気ヘッドアーム５に取り付けられた図示しないトーションスプリングにより、回転支軸５ｂを回転中心として、常に、後述する磁気ヘッド２がディスク１に摺接する方向に力を受けるようになっている。
【００２９】
また、磁気ヘッド支持部材６における回転支軸１１ｃ側と反対側の部分は、フック部６ｃを有する磁気ヘッド支持部６ａと、後述するカートリッジホルダ８方向に延びてカートリッジホルダ８の上面と当接している当接部であるカートリッジホルダ当接部１０（以下当接部１０と称する）を有する当接支持部６ｂとに分かれている。
【００３０】
当接支持部６ｂの先端に設けられた当接部１０の形状は半球状となっており、当接部１０の接線方向にカートリッジホルダ８が当接する。当接部１０を半球状とすることにより、磁気ヘッドアーム５とカートリッジホルダ８の取り付け角度を厳密に合わせなくても接触状態が変わらないため、摺動状態を安定にすることができる。また、当接部１０は、後述するカートリッジホルダ８に当接することにより、磁気ヘッド２のディスク１に対する高さ方向の位置決めを行うとともに、後述するサスペンション７がカートリッジホルダ８又はディスクカートリッジ９と接触し損傷することを防止するように位置決めを行っている。
【００３１】
磁気ヘッド支持部材６には、先端に磁気ヘッド２が取り付けられたサスペンション７が固定支持されている。磁気ヘッド２はサスペンション７の弾性撓みにより、磁気ヘッド支持部材６に対して上下方向に揺動可能に支持されており、ディスク１の面揺れに追従する。また、磁気ヘッド２は常に光ピックアップ４に対向するように配されており、光ピックアップ４とともに図示しない送りモータによりディスク１のラジアル方向に直線移動され、ディスク１と接触した状態で開口部９ａ内を往復移動可能である。
【００３２】
磁気ヘッド支持部６ａの先端に設けられたフック部６ｃとサスペンション７の先端に設けられた折り返しバネ部７ａとは、磁気ヘッド２がディスク１に摺接している状態では隙間をもって配置されている。磁気ヘッド支持部材６が所定角度以上に回転すると、フック部６ｃと折り返しバネ部７ａの先端とが係合して、磁気ヘッド２が上方に持ち上げられる。
【００３３】
一方、シャーシ３は、磁気ヘッドアーム上面部５ａと磁気ヘッドアーム下面部５ｄとの間に配されており、図示しないスピンドルモータを固定している。また、シャーシ３と磁気ヘッドアーム上面部５ａとの間には、カートリッジホルダ８が回転支軸８ｂを中心に回動可能に設けられており、回転支軸８ｂはシャーシ３に固定されている。カートリッジホルダ８は、例えば薄板をコの字状に折り曲げることによりディスクカートリッジ９を収納するカートリッジ収納部を形成しており、磁気ヘッド２が移動する領域を確保するための開口部８ａが設けられている。開口部８ａは、カートリッジホルダ８がサスペンション７に当たらないような大きさに形成されている。カートリッジホルダ８は、ディスク１の記録再生可能なディスク装填位置（磁界付与位置）と、ディスクカートリッジ９の挿抜を可能とするカートリッジ挿抜位置（退避位置）との間で挿抜口を上下させるように回動する。
【００３４】
ディスクカートリッジ９はディスク１を収納し、磁気ヘッド２を挿入するための開口部９ａが設けられている。開口部９ａも開口部８ａと同様にディスクカートリッジ９がサスペンション７に当たらないような大きさに形成されている。
【００３５】
以下、図３に従ってディスク排出時の動作について説明する。
【００３６】
まず、上部キャビネット１１ａを開こうとすると、上部キャビネット１１ａが回転支軸１１ｃを中心に回転する（図３（ａ））。その回転角度が所定角度より小さいときには、上部キャビネット１１ａのみが回転する。
【００３７】
次に、上部キャビネット１１ａが所定角度以上に回転すると、上部キャビネット１１ａは回転支軸１１ｃを中心として回転し、磁気ヘッド支持部材６は回転支軸５ｂを中心として回転する。それに伴ってフック部６ｃと折り返しバネ部７ａとが係合して、磁気ヘッド２が上方に持ち上げられる（図３（ｂ））。
【００３８】
続けて上部キャビネット１１ａをさらに大きく回転させると、カートリッジホルダ８が回転支軸８ｂを中心として回転し始める。そして、カートリッジホルダ８が規定の位置に達すると、ディスクカートリッジ９が矢印の方向に排出される（図３（ｃ））。この時、磁気ヘッド２はカートリッジホルダ８と間隔を置いた位置にあり、カートリッジ排出の妨げとならない位置まで退避している。また、ディスク挿入動作は前述の排出動作の逆の手順で達成される。
【００３９】
以上のように、本実施の形態の磁気ヘッド支持機構は、カートリッジホルダ８と磁気ヘッド支持部材６における当接部１０とが当接することにより、磁気ヘッド２のディスク１に対する高さ方向の位置決めを安定して行っているとともに、サスペンション７がカートリッジホルダ８及びディスクカートリッジ９と接触して損傷することを防止するように位置決めを行っている。当接部１０が、磁気ヘッドアーム５の下方向への回動を規制する機能を兼ね備えるので、磁気ヘッドアーム５とディスクカートリッジ９との間、もしくは磁気ヘッドアーム側面部５ｃに回動規制部材を設ける必要がなくなる。従って、磁気ヘッド支持機構の薄型化及び小型化が可能となり、また、部品点数や製造工程の削減が可能となる。
【００４０】
なお、当接部１０は、磁気ヘッド支持部材６と一体に設けてもよいし、磁気ヘッド２の移動をスムーズに行うために摺動性の良い材料（例えば、ＰＯＭ（ポリアセタール），ＰＰＳ（ポリフェニレンサルファイド）等の樹脂材）で別部材として構成してもよいし、当接部１０の摺動性を向上させる材料（例えば、テフロン（登録商標）、ＤＬＣ（ダイヤモンドライクカーボン）等）のカートリッジホルダ８に対して滑る表面コートを施してもよい。また、カートリッジホルダ８における当接部１０の移動範囲に当接部１０に対して滑る上記と同様な表面コートを施してもよい。
【００４１】
【発明の効果】
以上のように、本発明の磁気ヘッド支持機構は、磁気ヘッド支持部材に、該磁気ヘッド支持部材が上記磁気ヘッドを磁界付与位置に支持した状態で、上記ディスクカートリッジを保持するカートリッジホルダに摺動自在に当接する半球状の当接部が設けられている構成である。
【００４２】
これにより、磁気ヘッドとディスクとの高さ方向の位置決めを行うことができ、弾性部材がカートリッジホルダまたはディスクカートリッジと接触して損傷することを防止できるだけでなく、磁気ヘッド支持機構のディスク側への回動を規制するための部材を設ける必要がなくなる。また、当接部がディスクカートリッジを保持するカートリッジホルダに当接することにより、カートリッジホルダの当接面を基準として、磁気ヘッドのディスクに対する高さ方向の位置決めを行うことができる。
また、当接部がカートリッジホルダに対し摺動自在に形成されているので、磁気ヘッドの移動をスムーズに行うことができ、磁気ヘッドの移動時に位置決めを安定して行うことができる。しかも、当接部が半球状であるので、磁気ヘッド支持部材が取り付けられたアーム部材等とカートリッジホルダの取り付け角度を厳密に合わせなくても接触状態が変わらず、摺動状態を安定にすることができる。
従って、より安定した磁気ヘッドの位置決めができ、また、磁気ヘッド支持機構の部品点数の削減及び薄型化、小型化を図ることができるといった効果を奏する。また、当接部とカートリッジホルダの摺動性を向上させるべく、以下のようにしてもよい。
【００４４】
具体的には、当接部にカートリッジホルダに対して滑る表面コートが施されていることにより、磁気ヘッドの移動をスムーズに行うことができる。従って、より安定した磁気ヘッドの位置決めを行うことができるといった効果を奏する。
【００４５】
あるいは、カートリッジホルダの当接部と接する領域に、当接部に対して滑る表面コートが施されていることにより、磁気ヘッドの移動をよりスムーズに行うことができる。従って、磁気ヘッドの移動時における磁気ヘッドの位置決めをより安定して行うことができるといった効果を奏する。
【００４６】
本発明の磁気ヘッド支持機構は、当接部が磁気ヘッド支持部材と一体成形により形成されていることにより、当接部と磁気ヘッド支持部材とをつなぐ部品（例えば、接着材料）が不要となる。従って、磁気ヘッド支持機構の部品点数や製造工程の削減を図ることができるといった効果を奏する。
【図面の簡単な説明】
【図１】本発明の実施の一形態に係る磁気ヘッド支持機構の要部部分断面図である。
【図２】本発明の実施の一形態に係る磁気ヘッド支持機構の上面図である。
【図３】（ａ）ないし（ｃ）は本発明の実施の一形態に係る磁気ヘッド支持機構のディスク排出時の動作説明図である。
【図４】（ａ）及び（ｂ）は従来の磁気ヘッド支持機構の部分断面図である。
【図５】従来の他の磁気ヘッド支持機構の部分断面図である。
【符号の説明】
１            ディスク
２            磁気ヘッド
５            磁気ヘッドアーム
５ａ          磁気ヘッドアーム上面部
５ｂ          回転支軸
６            磁気ヘッド支持部材
６ａ          磁気ヘッド支持部
６ｂ          当接支持部
７            サスペンション
８            カートリッジホルダ
８ａ          開口部
８ｂ          回転支軸
９            ディスクカートリッジ
９ａ          開口部
１０            カートリッジホルダ当接部（当接部）
【図１】
0003880779.tif 000002
【図２】
0003880779.tif 000003
【図３】
0003880779.tif 000004
【図４】
0003880779.tif 000005
【図５】
0003880779.tif 000006